(57)【要約】【課題】  回転軸の係合部を弁座と脱離なく確実に係合させた状態で弁座の螺着を損傷なく解除できる弁座脱着器具を提供する。【解決手段】  配管バルブの開口縁３へ脱着自在に装着するベース体４の中心位置にストッパ５ａを下端に備えた円筒状のスリーブ５を上下動自在に螺合し、下端に弁座１０の上面と係合する係合部６を備えた回転軸７を前記スリーブ５内に軸挿し、係合部６を弁座１０と係合後スリーブ５を係合部６の直上へ移動させることで打撃回転時の衝撃による係合部６の脱離を防止できるようにした。【選択図】図１
2005083445.tif 000002
【特許請求の範囲】
【請求項１】
配管途中のバルブの弁箱内に螺着されている弁座を脱着する器具であって、弁箱の開口部に脱着自在に装着するベース体の中心位置に円筒状のスリーブを上下位置調整自在に螺合し、上部に回動操作手段を備え且つ下部にスリーブの受け面と弁座の上面と係合する係合部とを備えた回転軸を前記スリーブ内に軸挿し、スリーブの外径を回転軸の係合部の外径より小径にしてスリーブの下端を係合部の受け面と当接するストッパ部とし、回転軸の係合部を弁座と係合させてスリーブを係合部の直上へ移動させた後回転軸を回動操作手段で回転させることで初期回転時の衝撃による係合部の脱離を防止できるようにしたことを特徴とする弁座脱着器具。
【請求項２】
ベース体の下面に弁箱の開口部上面の凸所と係合する凹所を形成し、ベース体を正確な位置に装着して回転軸と弁座との芯合せを行えるようにした請求項１記載の弁座脱着器具。
【請求項３】
ベース体上面の取付ボルト孔に長い取付ボルトを挿通する筒体を固着した請求項１又は２記載の弁座脱着器具。
【発明の詳細な説明】
【技術分野】
【０００１】
本発明は、水管や蒸気管の流体を制御するバルブの弁座を脱着する器具に関する。
【背景技術】
【０００２】
従来、図５に示すような水管や蒸気管等の配管のバルブは長年使用していると弁体１３と当接する弁座１０にサビや傷が付いたり摩耗し、定期的に交換が必要となる。弁座１０は弁箱２内に螺着されており、配管バルブの開口部へ脱着自在に装着するベース体の中心位置に弁座１０の上面と係合する係合部を下端に備えた回転軸を軸挿した構造の器具を用い、係合部を弁座１０と係合させて回転軸を回動させることで弁座１０の螺着を緩めて取り外される。
【０００３】
ところで、弁座１０は圧力漏れ等を防止するために強固に螺着されているから初回の回動に非常に大きな力を要し、回転軸の上端にバーを装着してハンマー等で打撃を加えることで緩めている。従って、打撃の衝撃で回転軸の係合部が弁座１０から外れたり係合の凹凸を損傷して脱離できなくなる問題があった。
【特許文献１】実開平５−７７６６５号公報
【発明の開示】
【発明が解決しようとする課題】
【０００４】
本発明が解決しようとする課題は、従来のこれらの問題点を解消し、回転軸の係合部を弁座と脱離なく確実に係合させて弁座の螺着を解除できる弁座脱着器具を提供することにある。
【課題を解決するための手段】
【０００５】
かかる課題を解決した本発明の構成は、
１）  配管途中のバルブの弁箱内に螺着されている弁座を脱着する器具であって、弁箱の開口部に脱着自在に装着するベース体の中心位置に円筒状のスリーブを上下位置調整自在に螺合し、上部に回動操作手段を備え且つ下部にスリーブの受け面と弁座の上面と係合する係合部とを備えた回転軸を前記スリーブ内に軸挿し、スリーブの外径を回転軸の係合部の外径より小径にしてスリーブの下端を係合部の受け面と当接するストッパ部とし、回転軸の係合部を弁座と係合させてスリーブを係合部の直上へ移動させた後回転軸を回動操作手段で回転させることで初期回転時の衝撃による係合部の脱離を防止できるようにしたことを特徴とする弁座脱着器具
２）  ベース体の下面に弁箱の開口部上面の凸所と係合する凹所を形成し、ベース体を正確な位置に装着して回転軸と弁座との芯合せを行えるようにした前記１）記載の弁座脱着器具
３）  ベース体上面の取付ボルト孔に長い取付ボルトを挿通する筒体を固着した前記１）又は２）記載の弁座脱着器具
にある。
【発明の効果】
【０００６】
本発明によれば、係合部を弁座の上面と係合させた後、スリーブを係合部の直上へ移動させることで、打撃回転時の衝撃で係合部が弁座から浮き上がろうとするがスリーブのストッパで係合部の浮き上がりが規制され、係合部が脱離することなく確実に係合させた状態で弁座の螺着を解除できるようになる。
【発明を実施するための最良の形態】
【０００７】
本発明のベース体の下面には弁箱の開口部上面の凸所と係合する凹所を形成し、ベース体を正確な位置に装着して回転軸と弁座との芯合せを行えるようにすると良い。以下、本発明の実施例を図面に基づいて具体的に説明する。
【実施例１】
【０００８】
図１〜４に示す実施例は、蒸気管バルブの弁座を脱着する器具の例である。図１は実施例の弁座脱着器具の装着状態を示す説明図、図２は実施例の弁座脱着器具の斜視図、図３，４は実施例の弁座の取り外しを示す説明図である。
【０００９】
図中、１は配管、２は弁箱、３は開口縁、３ａは係合凸部、４はベース体、４ａは筒体、４ｂは係合凹部、４ｃはスリーブ孔、５はスリーブ、５ａはストッパ、５ｂはつまみ部、６は係合部、６ａは係合凸部、７は回転軸、７ａは係合部、８はハンドル、９は取付ボルト、１０は弁座、１０ａは係合凹部である。
【００１０】
本実施例の弁座脱着器具は、図１，２に示すようにベース体４は配管１のバルブの開口縁３と同幅で上面に取付ボルト９が挿通する筒体４ａを２箇所有し、下面には開口縁３の係合凸部３ａと係合する係合凹部４ａが形成され、中心位置にスリーブ５を螺合するスリーブ孔４ｃを形成して内面を螺刻している。
【００１１】
スリーブ５は円筒状で、外周面はベース体４のスリーブ孔４ｃの螺刻面と螺合できるように螺刻され、下端には螺刻部分の径より小径のストッパ５ａを形成し、上端には螺刻部分の径より大径で外周面に滑り止めが施されたつまみ部５ｂを形成している。
【００１２】
回転軸７はスリーブ５の約２倍の長さの細長でスリーブ５内に上下動且つ回転可能に軸挿され、下端には脱着すべき弁座１０と略同径で弁座１０の係合凹部１０ａと係合する係合凸部６ａを下面に２箇所備えた係合部６を取り付け、上端にはハンドル８を脱着自在に取り付ける係合部７ａを形成している。
【００１３】
本実施例では、バルブを取り外した後、図３（ａ）に示すようにベース体４を開口縁３へ凹凸を合わせるように載置して取付ボルト９で締結し、回転軸７を下方へ動かして係合部６を弁座１０と凹凸を合わせるように嵌着させ、スリーブ５をその下面と係合部６の上面とが少なくとも係合凸部６ａの高さより低い間隙となる位置まで回動させる。
【００１４】
そして、図４（ａ）に示すようにハンドル８（図４では図示せず）をハンマー等で強く打撃し、打撃力が回転軸７を伝播して係合部６へ伝達され、弁座１０の螺着が緩む。このとき、従来では打撃の衝撃で係合部６が浮き上がって弁座１０から外れようとすることがあるが、本実施例ではスリーブ５のストッパ５ａが係合部６の直上面に配置しているから、ストッパ５ａが係合部６の上方への浮き上がりを規制して外れることがない。その後、回転軸７を回動させて弁座脱着器具を開口縁３から取り外し、弁座１０を弁箱２から取り出して交換等が行なわれる。
【００１５】
本実施例はこのように構成したから、係合部６を弁座１０の上面と係合させた後、スリーブ５を係合部６の直上へ移動させることで、打撃回転時の衝撃で係合部６が弁座１０から浮き上がろうとするがスリーブ５のストッパ５ａで係合部６の浮き上がりが規制され、係合部６が脱離することなく確実に係合させた状態で弁座１０の螺着を損傷なく解除できるようになった。
【産業上の利用可能性】
【００１６】
本発明の弁座脱着器具は、水管や蒸気管のみならず他の流体を制御するバルブの弁座の脱着に応用できる。
【図面の簡単な説明】
【００１７】
【図１】実施例の弁座脱着器具の装着状態を示す説明図である。
【図２】実施例の弁座脱着器具の斜視図である。
【図３】実施例の弁座の取り外しを示す説明図である。
【図４】実施例の弁座の取り外しを示す説明図である。
【図５】バルブの説明図である。
【符号の説明】
【００１８】
１  配管
２  弁箱
３  開口縁
３ａ  係合凸部
４  ベース体
４ａ  筒体
４ｂ  係合凹部
５  スリーブ
５ａ  ストッパ
５ｂ  つまみ部
６  係合部
６ａ  係合凸部
７  回転軸
７ａ  係合部
８  ハンドル
９  取付ボルト
１０  弁座
１０ａ  係合凹部
１１  ボンネット
１２  弁軸
１３  弁体
１４  ハンドル
１５  ケージ
１６  ガスケット
【図１】
2005083445.tif 000003
【図２】
2005083445.tif 000004
【図３】
2005083445.tif 000005
【図４】
2005083445.tif 000006
【図５】
2005083445.tif 000007